(57)【特許請求の範囲】
【請求項１】
電子的物品監視システムのための送信器であって、
送信信号を発生する送信回路と、
前記送信回路により発生した送信信号を受信し、且つこの送信信号を呼び掛け信号として呼び掛け領域へ輻射するアンテナ手段であり、第一のアンテナと第二のアンテナとを含むアンテナ手段と、
送信信号を前記送信回路から前記アンテナ手段へ送信する接続手段であり、この接続手段を前記送信回路へ結合する第一の結合手段と、前記接続手段を前記アンテナ手段へ結合する第二の結合手段と、前記送信回路から第一と第二のアンテナの少なくとも一方を選択的に分離するスイッチ手段とを含み、その第一の結合手段は第一のインピーダンスを有し、その第二の結合手段は、第一のインピーダンスに整合する第二のインピーダンスを有する接続手段とを備える送信器。
【請求項２】
第一のアンテナが、呼び掛け領域内で送信信号を輻射する第一のアンテナコイルを含み、第二のアンテナが、呼び掛け領域内で送信信号を輻射する第二のアンテナコイルを含み、前記接続手段の第二の結合手段が、第一のアンテナコイルに誘導結合された第一の巻線と、第二のアンテナコイルに誘導結合された第二の巻線とを含み、前記接続手段の前記スイッチ手段が、第一の巻線に交叉して接続されて第一の巻線を選択的に短絡させる第一のスイッチと、第二の巻線に交叉して接続されて第二の巻線を選択的に短絡させる第二のスイッチとを含む請求項１記載の送信器。
【請求項３】
前記アンテナ手段が、第三のアンテナと第四のアンテナを更に含む請求項２記載の送信器。
【請求項４】
第二の結合手段が、前記接続手段を第一のアンテナへ結合する第一の変圧器と、前記接続手段を第二のアンテナへ結合する第二の変圧器とを含む請求項１記載の送信器。
【請求項５】
前記スイッチ手段が、第一の変圧器の巻線に交叉して接続されて、第一の変圧器の巻線を選択的に短絡させる第一のスイッチと、第二の変圧器の巻線に交叉して接続されて、第二の変圧器の巻線を選択的に短絡させる第二のスイッチとを含む請求項４記載の送信器。
【請求項６】
電子的物品監視システムのための送信器であって、
送信信号を発生する送信回路と、
前記送信回路により発生した送信信号を受信し、且つこの送信信号を呼び掛け信号として呼び掛け領域へ輻射するアンテナ手段と、
送信信号を前記送信回路から前記アンテナ手段へ送信する接続手段であり、この接続手段を前記送信回路へ結合する第一の結合手段と、前記接続手段を前記アンテナ手段へ結合する第二の結合手段とを含み、その第一の結合手段は第一のインピーダンスを有し、その第二の結合手段は、第一のインピーダンスに整合する第二のインピーダンスを有し、第一の結合手段は、一次巻線と、第一のインピーダンスを有する二次巻線とを有する変圧器である接続手段とを備える送信器。
【請求項７】
送信器と複数のアンテナとを相互接続する装置であって、前記送信器が、第一と第二の端子を有し、前記複数のアンテナは、第一のアンテナコイルを有する第一のアンテナと、第二のアンテナコイルを有する第二のアンテナとを有し、前記装置は、
前記送信器の第一と第二の端子に交叉して接続された一次巻線と、二次巻線とを有する逓降変圧器と、
第一のアンテナの第一のアンテナコイルと誘導結合するように配置された第一の巻線と、
第二のアンテナの第二のアンテナコイルと誘導結合するように配置された第二の巻線と、
第一のスイッチと、
直列ループ接続を形成する手段であり、その直列ループ接続は、前記第一の巻線と第二の巻線と第一のスイッチと変圧器の二次巻線とを含み、その第一のスイッチが、前記直列ループ接続を選択的に開放するように配置されている手段と、
第二の巻線を選択的に短絡させるように第二の巻線に交叉して接続された第二のスイッチと、
第一の巻線を選択的に短絡させるように第一の巻線に交叉して接続された第三のスイッチとを備える装置。
【請求項８】
前記複数のアンテナが、第三のアンテナコイルを有する第三のアンテナと、第四のアンテナコイルを有する第四のアンテナとを含むと共に、前記装置が、
第三のアンテナの第三のアンテナコイルに誘導結合するように配置された第三の巻線と、
第三の巻線を選択的に短絡させるように第三の巻線に交叉して接続された第四のスイッチと、
第四のアンテナの第四のアンテナコイルと誘導結合するように配置された第四の巻線と、
第四の巻線を選択的に短絡させるように第四の巻線に交叉して接続された第五のスイッチと、
第六のスイッチと、
直列ループ接続を形成する手段であり、その直列ループ接続が、前記第三の巻線と第四の巻線と第六のスイッチと変圧器の二次巻線とを含む手段とを更に備え、
前記第三と第四の巻線を含む前記直列ループ接続が、前記第一と第二の巻線を含む前記直列ループ接続に並列に配置され、
前記第六のスイッチが、前記第三と第四の巻線を含む前記直列ループ接続を選択的に開放するように配置されている請求項７記載の装置。
【請求項９】
第一と第二と第三のスイッチの各々が、少なくとも一つの電界効果トランジスタを含む請求項７記載の装置。
【請求項１０】
第一と第二と第三のスイッチの各々が、ＭＯＳＦＥＴの積重ね対を含む請求項９記載の装置。
【請求項１１】
複数のアンテナの一つに、送信回路により発生した信号を輻射するように選択的にエネルギを与える方法であり、その複数のアンテナの各々が個別のアンテナコイルを有し、その方法は、
直列に接続された複数の巻線を設ける段階であり、その巻線の各々は前記アンテナコイルの各一つに対して、対応且つ誘導結合し、前記直列接続された巻線が前記送信回路に結合する段階と、
全てを短絡させるが、前記巻線の一つは、この一つに対応するアンテナコイルにエネルギを与えるために選択される段階とを含む方法。
【請求項１２】
前記巻線に直列に接続されたスイッチを設ける段階と、
全ての前記アンテナを前記送信回路から分離するように前記スイッチを開放する段階とを更に含む請求項１１記載の方法。
【請求項１３】
前記複数のアンテナが、第四のアンテナを含む請求項１２記載の方法。
【請求項１４】
送信器と複数のアンテナとを相互接続する装置であり、その送信器は第一と第二の端子とを有し、その複数のアンテナは、第一のアンテナコイルを有する第一のアンテナと、第二のアンテナコイルを有する第二のアンテナとを含み、この装置は、
第一のアンテナの第一のアンテナコイルと誘導結合するように配置された第一の巻線と、
第二のアンテナの第二のアンテナコイルと誘導結合するように配置された第二の巻線と、
第一のスイッチと、
前記第一の巻線と第二の巻線と第一のスイッチとの直列接続を形成する手段と、
前記第一の巻線と第二の巻線と第一のスイッチとの前記直列接続へ前記送信器を結合する結合手段と、
第二の巻線を選択的に短絡させるように第二の巻線に交叉して接続された第二のスイッチと、
第一の巻線を選択的に短絡させるように第一の巻線に交叉して接続された第三のスイッチとを備える装置。
【請求項１５】
前記結合手段が、第一の巻線の直列接続に交叉して適用される信号を形成するように、前記送信器からの信号出力のレベルを逓降させる変圧器を含む請求項１４記載の装置。
【請求項１６】
第一と第二と第三のスイッチの各々が、少なくとも一つの電界効果トランジスタを含む請求項１４記載の装置。
【請求項１７】
第一と第二と第三のスイッチの各々が、ＭＯＳＦＥＴの積重ね対を含む請求項１６記載の装置。
【請求項１８】
複数のアンテナの選択された一つへラジオ周波数信号を供給するアンテナマルチプレクサであって、
前記複数のアンテナの各一つを選択する複数のトランジスタスイッチであり、各々がゲート端子を有するトランジスタスイッチと、
前記ラジオ周波数信号をバイアス信号を形成するように濾波する手段と、
前記バイアス信号を前記トランジスタスイッチの各ゲート端子へ選択的に結合させる選択的結合手段とを備えるアンテナマルチプレクサ。
【請求項１９】
前記複数のトランジスタスイッチが、電界効果トランジスタ（ＦＥＴ）の複数の積重ねを含み、これら電界効果トランジスタの積重ねの各々は、前記アンテナの各一つに対応する請求項１８記載のマルチプレクサ。
【請求項２０】
前記バイアス信号が、前記電界効果トランジスタの積重ねの対の各々に対応する前記アンテナを選択解除するように前記電界効果トランジスタの積重ねの対の各々に選択的に結合する請求項１９記載のマルチプレクサ。
【請求項２１】
前記選択的結合手段が、複数の光アイソレータを含み、その各々は、前記電界効果トランジスタの各一対へのバイアス信号の結合を制御する請求項２０記載のマルチプレクサ。
【発明の詳細な説明】
発明の分野
本発明は、複数のアンテナの間の送信信号を多重化する回路系に関し、特にこのような回路系の電子的物品監視兼確認システムにおける適用に関する。
発明の背景
本願と共通の発明者および譲受人による係属中の米国特許出願第０８／４３７，９４６号（１９９５年６月１９日出願）は、資産追跡兼制御システムを開示しており、このシステムは、トランスポンダデバイスを携える人員または物品が建屋内の何処に存在しているかを実時間で検出するように操作される。取り付けられたトランスポンダによる人員または物品の追跡は、建屋へ通じる選択された門に設置されたアンテナ構造によって実行される。この′９４６号出願に開示された好適なアンテナ構造は、信号送信器からの時分割多重化形式で操作される四つのアンテナを含む。
上記に引用した資産追跡システムにおける適用に適する公知のアンテナ多重化配置は、図１において全体的に参照符号１０で示されている。この配置１０は、送信回路１２と、スイッチング回路系１６により相互接続されたアンテナ１４−１および１４−２とを含む。スイッチング回路系１６は、送信回路１２とアンテナ１４−１とにより形成されたＬＣループを選択的に開放するように位置したスイッチ１８−１と、アンテナ１４−２と送信回路１２とにより形成された各ＬＣループを選択的に開放するように位置したスイッチ１８−２とを含む（図１は単純なダイアグラムであり、通常は一つの送信器により駆動される四つのアンテナのうち、その二つを省略していることを了解されたい）。
資産確認目的のために、引用した′９４６号特許出願の追跡兼監視システムは、高速切換が要求されるので、スイッチ１８−１および１８−２は、機械的リレーよりもむしろＭＯＳＦＥＴまたは他のトランジスタスイッチを使用して設置されている。この公知のスイッチング配置は、多数の不都合をもたらす。例えばＭＯＳＦＥＴスイッチは、大きな抵抗を持つので、機器の運転寿命を低減させてしまう実質的な熱を生起する。また、アンテナ１４−１，１４−２を送信回路１２から離間可能な最大距離には、大きな制約がある。リッツ線を使用する高価な配線が使用された場合でさえ、その最大離間間隔は約２５フィートである。抵抗を低減させるように、仮想線１８−１′，１８−２′で示される付加的なトランジスタスイッチを並列に設けることができるが、この試みは、機器のコストを増大させ、アンテナを完全に切換ることを困難にする付加的なスイッチ漏洩を生起する。
発明の目的と概要
本発明の一つの目的は、既存のマルチプレクサ配置よりも高い効率で操作される物品監視システムのためのアンテナ多重化配置を与えることである。
本発明の更なる目的は、切換損失が低減されたアンテナマルチプレクサ配置を与えることである。
本発明の更なる目的は、隣接するアンテナの間の結合を排除するアンテナマルチプレクサ配置を与えることである。
本発明の第一の観点によれば、電子的物品監視システムのための送信器が与えられ、この送信器は、送信信号を発生する送信回路系と、送信回路系により発生した送信信号を受信し、且つこの送信信号を呼び掛け信号として呼び掛け領域へ輻射するアンテナ回路系と、送信信号を送信回路系からアンテナ回路系へ送信する接続回路系とを含み、その接続回路系は、この接続回路系を送信回路系へ結合する第一の結合回路系と、この接続回路系をアンテナ回路系へ結合する第二の結合回路系とを含み、その第一の結合回路系は第一のインピーダンスを有し、第二の結合回路系は、第一のインピーダンスに整合する第二のインピーダンスを有する。
更に本発明のこの観点によれば、アンテナ回路系は第一のアンテナと第二のアンテナとを含んでもよく、接続回路系は第一と第二のアンテナの少なくとも一方を送信回路系から選択的に分離するスイッチング回路系を含む。第一のアンテナは呼び掛け領域へ送信信号を輻射する第一のアンテナコイルを含んでもよく、第二のアンテナは呼び掛け領域へ送信信号を輻射する第二のアンテナコイルを含んでもよく、接続回路系の第二の結合回路系は、第一のアンテナコイルに誘導結合された第一の巻線と、第二のアンテナコイルに誘導結合された第二の巻線とを含み、接続回路系のスイッチ回路系は、第一の巻線に交叉して接続されて第一の巻線を選択的に短絡させる第一のスイッチと、第二の巻線に交叉して接続されて第二の巻線を選択的に短絡させる第二のスイッチとを含む。更に、第一の結合回路系は、一次巻線と、上述の第一のインピーダンスを有する二次巻線とを有する変圧器とし得る。更に、第二の結合回路系は、接続回路系を第一のアンテナへ結合する第一の変圧器と、接続回路系を第二のアンテナへ結合する第二の変圧器とを含んでもよい。その場合、スイッチ回路系は、第一の変圧器の巻線に交叉して接続されて、第一の変圧器の巻線を選択的の短絡させる第一のスイッチと、第二の変圧器の巻線に交叉して接続されて、第二の変圧器の巻線を選択的に短絡させる第二のスイッチとを含んでもよい。
更に、アンテナ回路系は、上述した第一と第二のアンテナに加えて第三と第四とのアンテナを含み得る。
本発明の他の観点によれば、送信器と複数のアンテナとを相互接続する装置が与えられ、その送信器は第一と第二の端子を有し、その複数のアンテナは、第一のアンテナコイルを有する第一のアンテナと、第二のアンテナコイルを有する第二のアンテナとを有する。この装置は、送信器の第一と第二の端子に交叉して接続された一次巻線と、二次巻線とを有する逓降変圧器と、第一のアンテナの第一のアンテナコイルと誘導結合するように配置された第一の巻線と、第二のアンテナの第二のアンテナコイルと誘導結合するように配置された第二の巻線と、第一のスイッチと、直列ループ接続を形成する配線であり、その直列ループ接続は、第一の巻線と第二の巻線と第一のスイッチと変圧器の二次巻線とを含み、ここで第一のスイッチは直列ループ接続を選択的に開放するように配置され、第二のスイッチが第二の巻線を選択的に短絡させるように第二の巻線に交叉して接続され、第三のスイッチが第一の巻線を選択的に短絡させるように第一の巻線に交叉して接続されている。この装置は、第三のアンテナコイルを有する第三のアンテナであって、この場合、第三の巻線が第三のアンテナの第三のアンテナコイルに誘導結合するように配置され、第四のスイッチが第三の巻線を選択的に短絡させるように第三の巻線に交叉して接続された第三のアンテナと、第四のアンテナコイルを有する第四のアンテナと、第四のアンテナの第四のアンテナコイルと誘導結合するように配置された第四の巻線と、第四の巻線を選択的に短絡させるように第四の巻線に交叉して接続された第五のスイッチとを含み得る。第三と第四の巻線は、上述の直列ループ接続に並列する第二の直列ループ接続において第二の巻線に接続され、第六のスイッチが第二の直列ループ接続を選択的に開放するように設けられている。
本発明の更なる観点によれば、複数のアンテナの一つに、送信回路により発生した信号を輻射するように選択的にエネルギを与える方法が与えられ、複数のアンテナの各々が個別のアンテナコイルを有し、その方法は、直列に接続された複数の巻線を設ける段階であり、その巻線の各々はアンテナコイルの各一つに対して、対応且つ誘導結合し、直列接続された巻線が送信回路に結合する段階と、全てを短絡させるが、巻線の一つは、短絡していない巻線に対応するアンテナコイルにエネルギの与えるために選択される段階とを含む。
本発明の更に他の観点によれば、送信器と複数のアンテナとを相互接続する装置が与えられ、送信器は第一と第二の端子とを有し、複数のアンテナは、第一のアンテナコイルを有する第一のアンテナと、第二のアンテナコイルを有する第二のアンテナとを含み、この装置は、第一のアンテナの第一のアンテナコイルと誘導結合するように配置された第一の巻線と、第二のアンテナの第二のアンテナコイルと誘導結合するように配置された第二の巻線と、第一のスイッチと、これら第一の巻線と第二の巻線と第一のスイッチとの直列接続を形成する配線と、送信器を、第一の巻線と第二の巻線と第一のスイッチとの直列接続へ結合する回路系と、第二の巻線を選択的に短絡させるように第二の巻線に交叉して接続された第二のスイッチと、第一の巻線を選択的に短絡させるように第一の巻線に交叉して接続された第三のスイッチとを含む。
更に本発明の後者の観点によれば、結合回路系は、送信器からの信号出力のレベルを逓降させて、第一の巻線の直列接続に交叉して適用される信号を形成するようにする変圧器と、第二の巻線および第一のスイッチとを含んでもよい。
本発明の更なる観点によれば、複数のアンテナの選択された一つへラジオ周波数信号を供給するアンテナマルチプレクサが与えられ、これは、前記複数のアンテナの各一つを選択する複数のトランジスタスイッチであり、各々がゲート端子を有するトランジスタスイッチと、ラジオ周波数信号をバイアス信号を形成するように濾波する回路系と、バイアス信号をトランジスタスイッチの各ゲート端子へ選択的に結合させる回路系とを含む。
複数のトランジスタスイッチは、ＦＥＴの積重ね対を含み、ＦＥＴの各対はアンテナの各一つに対応する。バイアス信号は、ＦＥＴの各対に対応するアンテナを選択解除するようにＦＥＴの各対に選択的に結合し得る。結合回路系は、複数の光アイソレータを含み、その各々は、ＦＥＴの各対の一つへのバイアス信号の結合を制御する。
本発明の上述およびその他の目的、特徴および利点は、以下の本発明の好適実施例と実践の詳細な説明と添付図面とから、より良く理解されよう。図面においては、同様な参照符号は同様な部品や部分を示す。
図面の説明
図１は通常のアンテナマルチプレクサ配置のブロック図である。
図２は本発明により与えられたアンテナマルチプレクサ配置のブロック図である。
図３は、図２のマルチプレクサ配置に代わる他のブロック図であって、送信回路に隣接して設けられたスイッチングモジュールを含むブロック図である。
図４は本発明の第二実施例により与えられたアンテナマルチプレクサ配置のブロック図である。
図５は本発明の第三実施例により与えられたアンテナマルチプレクサ配置のブロック図である。
図６は本発明の第四実施例により与えられたアンテナマルチプレクサ配置のブロック図である。
図６Ａは本発明の第五実施例により与えられたアンテナマルチプレクサ配置のブロック図である。
図７は通常のスイッチ制御技術を示す模式図である。
図８は本発明により与えられたスイッチ制御回路系を示す模式図である。
好適実施例と実践の説明
ここで本発明の第一実施例により与えられたアンテナ多重化回路について、図２を参照して説明する。図２の配置は、送信回路１２を含み、この送信回路１２は、図１に関連して説明した従来の送信回路と同様なものとし得る。この送信回路１２は、第一の端子２０および第二の端子２２を含む。この送信回路１２は、テキサスインスツルメントにより市販されているＴＩＲＩＳラジオ周波数確認システムに使用された形式のものとし得る。このＴＩＲＩＳシステムにおいては、送信回路は１３４．２ＫＨｚでバーストを発生し、確認すべき対象または個人へ取り付けられたトランスポンダへエネルギを与えるようにアンテナを通じて信号が送信される。
図２の配置は、アンテナ２４−１，２４−２を含む。各アンテナは、アンテナコイル２６と、このコイル２６と共鳴回路を形成するようにコイル２６に交叉して接続されたコンデンサ２８とを含む。アンテナコイル２６は、好ましくは、三巻回で形成された平坦で矩形状の空気コアコイルである。
各アンテナは、アンテナコイル２６との誘導結合のためにアンテナコイル２６に近接して配置された結合巻線３０を含む。例えば、結合巻線３０は一巻で平坦矩形状コイル２６に近接して、そのコイル２６と同面で且つその周囲に形成し得る。
アンテナ２４−１および２４−２の結合巻線３０は、送信回路１２の端子２０および２２へ多重化およびインピーダンス整合回路系３２により接続されている。変圧器３４は、送信回路１２の端子２０と２２との間に接続された一次巻線３６と、コア４０を介して一次巻線３６に誘導結合された二次巻線３８とを含む。
回路系３２にはスイッチ４２，４４も含まれている。配線は、変圧器３４の二次巻線３８、アンテナ２４−１および２４−２の各結合巻線３０、スイッチ４４を直列に相互接続するループ直列接続４８を形成するように設けられている。スイッチ４４は、ループ直列接続４８を選択的に開放するように作動する。スイッチ４４は、図２においてはアンテナ２４−１および２４−２の各結合巻線３０の間に接続されて示されているが、ループ直列接続４８における他の任意の点に位置してもよい。
スイッチ４２は、アンテナ２４−１の結合巻線３０に交叉して接続されており、アンテナ２４−１の巻線３０が選択的に短絡して、ひいてはループ接続４８から効果的に離れるようにされている。同様にスイッチ４６はアンテナ２４−２の巻線３０に交叉して接続されており、アンテナ２４−２の巻線３０が選択的に短絡でき、効果的に離れるようにされている。制御信号Ｃ１，Ｃ２およびＣ３は、それぞれスイッチ４２，４４および４６へ与えられて、スイッチ４２，４４および４６を開放状態と閉止状態との間で切換る。これら制御信号Ｃ１，Ｃ２およびＣ３は、図示しない制御回路により与えられる。
変圧器３４は、送信器１２の端子において与えられた高圧信号の電圧を逓降させ、変圧器３４の二次巻線３８のインピーダンスは、アンテナ２４−１，２４−２の巻線３０の各インピーダンスに整合する。それ故、電流および電圧はループ接続４８内で同期し、電流レベルおよび電圧レベルは、送信回路１２およびアンテナ２４−１，２４−２における同期回路における高圧高電流信号に比べて比較的に低い。従ってスイッチ４２，４４および４６は、比較的に小型で効率的に低コストの固体状態スイッチを使用して設けることができるので、図１の従来の多重化配置と比較して、コスト節約、パワー効率の改良が与えられる。
アンテナ２４−１が操作のために選択されたとき、スイッチ４２が開放して、スイッチ４４および４６は閉止する。その結果、アンテナ２４−１のアンテナコイル２６は、送信器１２へ有効に結合して、送信器により発生した信号を呼び掛け領域に存在するトランスポンダへ呼び掛ける信号として呼び掛け領域へ輻射する。
アンテナ２４−２が操作のために選択されたとき、スイッチ４６が開放して、スイッチ４２および４４は閉止し、アンテナ２４−２のアンテナコイル２６は呼び掛け信号を輻射するようにエネルギを与えられる。スイッチ４４が開放すると、アンテナ２４−１，２４−２は共に送信回路１２から有効に接続解除される。
或るアンテナが操作のために選択されないときは、各結合巻線３０に交叉する短絡回路が与えられ、隣接するアンテナ間の結合と、選択されていないアンテナからのクロストークとを防止する。
図３は図２の多重化配置の他の構成を示す。図３において、図２に示されたスイッチ４２，４４および４６は、変圧器３４とアンテナ２４−１，２４−２との間に設けられたスイッチングモジュール５０に代えられている。図３に示すように、スイッチングモジュール５０は好ましくは変圧器３４に隣接して設けられており、次にこの変圧器３４は、好ましくは送信回路１２に近接して位置している。この方式において、制御信号Ｃ−１，Ｃ−２およびＣ−３についての信号経路は、比較的に短くでき、制御信号を発生する制御回路（図示せず）は、送信器１２へ近接して位置している。他方、スイッチングモジュール５０に組み込まれているスイッチがむしろ低損失を与えるので、アンテナ２４−１，２４−２は、送信器１２およびそれに関連する変圧器３４から相当な距離に位置してもよく、従来の装備に使用されていたリッツ線に代えて、比較的に安価な標準配線を使用できる。
ここで本発明の第二実施例について図４を参照して説明する。図４の配置は、図２の配置と同一の送信回路１２と、同じく変圧器３４と、同じくアンテナ２４−１，２４−２とを有する。しかしながら、図４の多重化およびインピーダンス整合回路系３２′は図２の回路系３２とは以下の点で異なっている。即ち、図４の配置においては、アンテナを選択解除するには、各結合巻線３０に直列に与えられたスイッチを開放させるのであって、図２の配置においてなされるように、結合巻線に交叉して接続されたスイッチを閉止するのではない。特に図４の配置は、スイッチ５２とスイッチ５４とを含み、そのスイッチ５２は、変圧器３４の二次巻線３８とアンテナ２４−１の結合巻線３０とからなる第一ループを選択的に開回路で接続し、スイッチ５４は、二次巻線３８とアンテナ２４−２の各結合巻線３０とを有する二次ループを選択的に開放するように設けられている。
アンテナが呼び掛け信号を送信するように選択されていない場合、図４に示される配置においては、アンテナコイルも結合巻線も短絡しないことが明らかである。しかしながら、図４における符号５６で示されるように、アンテナ２４−１，２４−２は、互いに相当な距離にあると見倣せるので、二つのアンテナの間のクロストークおよび結合は重要ではない。
本発明の第三実施例が図５に示されている。図５の実施例は、図２の配置と同一の送信回路１２と、同じく変圧器３４と、同じくスイッチ４２，４４および４６とを有する。しかしながら、図５の実施例においては、アンテナ２４′−１および２４′−２は、結合巻線３０を含まない点で、図２に示されるアンテナとは異なっている。結合巻線３０に代わって、アンテナコイル２６は送信回路１２へ各逓昇変圧器５８−１および５８−２により送信器１２へ結合されている。各逓昇変圧器は、一次巻線６０と、二次巻線６２と、これら逓昇変圧器の巻線を誘導結合させるコア６４とを含む。図５の配置においては直列ループ接続４８′が、図２に示される結合巻線３０に代わる変圧器５８−１，５８−２の一次巻線６０と共に形成されている。二次巻線６２の各々は各アンテナ２４′−１または２４′−２のアンテナコイル２６へ結合されている。一次巻線６０の各インピーダンスは変圧器３４の二次巻線３８のインピーダンスに整合する。
図２の配置におけるように、スイッチ４２，４４および４６は、比較的に低電流、低電圧ループであるので、通常のアンテナ多重化配置において使用されていたトランジスタスイッチよりも小型で、より効率的に、且つ低コストにし得る。また、図２の実施例の場合と同様に、選択されていないアンテナは（対応する変圧器５８−１または５８−２の一次６０により）効果的に短絡されているので、アンテナ間のクロストークおよび結合が防止される。
図６は本発明の第四実施例を示す。図６の実施例は図２の実施例に類似しているが、二つの異なるアンテナ（２４−３，２４−４）の追加により、アンテナの総数は四つになっている。この図６の実施例においては、四つの全ての結合巻線３０は同一のループ接続（図６において符号４８″で示される）内にあり、追加アンテナ選択スイッチ６６および６８が設けられており、これらはそれぞれアンテナ２４−３および２４−４の結合巻線３０に交叉して接続されている。アンテナの一つが呼び掛け信号を送信するように選択されたとき、対応する一つのアンテナ選択スイッチ４２，４６，６６および６８が開放し、一方、ループスイッチ４４に沿ってその他のアンテナ選択スイッチが全て閉止する。
図６Ａは、本発明の第五実施例を示す。図６の実施例におけるように四つのアンテナが多重化されているが、四つの全てのアンテナに干渉する単独のループに代わって、各々が二つのアンテナに干渉する二つの並列ループが設けられている。特に第五実施例においては、巻線は、それぞれアンテナ２４−３と２４−４に対応する変圧器３４の二次巻線３８と結合巻線３０との間に、参照符号６９で示されるループ直列接続を形成するように設けられている。スイッチ６７はループ接続６９を選択的に開放するように設けられている。このループ接続６９は、図２の実施例と同様なループ接続４８と並列である。
本発明の他の観点によれば、制御信号をアンテナ選択スイッチへ結合させる有益な技術が与えられる。この技術を説明する前に、図７を参照して従来技術の制御信号結合技術について説明する。公知の制御技術によれば、ＭＯＳＦＥＴの三つの積重ねられた対（Ｑ１およびＱ２；Ｑ３およびＱ４；Ｑ５およびＱ６）が、並列スイッチにより制御されるアンテナから接地させる経路に並列に設けられている。図１の先の説明において示されるように、並列スイッチング対が抵抗を低減するように設けられている。スイッチングトランスミッタのためのゲートバイアス信号は、システム１２ボルト電源からＭＯＳＦＥＴＱ１３とそれに関連する抵抗７０および７２を通じてとられる。光アイソレータ７４は、スイッチングトランジスタのソース側へゲートバイアス信号を選択的に短絡させるスイッチ制御信号により駆動されるので、スイッチングトランジスタを無効にし、このスイッチングトランジスタにより制御されたアンテナを選択解除する。
本発明により与えられたスイッチ制御技術においては、スイッチングトランジスタのゲート端子へ適用されたバイアス信号は、アンテナへ供給されるＲＦ信号から導かれるのであって、システム電源から導かれるのではない。これは、システムの平衡からスイッチング回路系の完全な分離を可能としつつ、部品数の削減を可能とする。この技術には、図２−６に関連して説明したアンテナ多重化配置に使用されている低電流適用に適するスイッチングトランジスタの個数の削減という実際の利点がある。
ここで図８を参照しながら、このスイッチ制御の実践の利点の詳細について説明する。
図８に示される回路系は、二次巻線３８（図２）からＲＦアンテナ駆動信号を送信する複ＲＦバス７６および７８を含む。続けて図８を参照すると、ＭＯＳＦＥＴ  Ｑ８およびＱ１０の積重ね対は図２のスイッチ４２に対応し、ＭＯＳＦＥＴ  Ｑ１１およびＱ１２の積重ね対は図２のスイッチ４６に対応する。図２のループスイッチ４４は図８におけるＭＯＳＦＥＴ  Ｑ７およびＱ９に代えられている。端子Ｅ１１およびＥ１２は、図８の回路系をアンテナ２４−１の結合巻線３０へ接続するように設けられ、且つ端子Ｅ１３およびＥ１４は、図８の回路系をアンテナ２４−２の結合巻線３０へ接続するように設けられている。ＭＯＳＦＥＴ  Ｑ８およびＱ１０のゲート端子へ選択的に与えられるバイアス信号は、抵抗Ｒ６、ダイオードＣＲ６、ツェナーＣＲ１３、およびコンデンサＣ６からなる濾波回路網により、バス７８上のＲＦ信号から導かれる。
呼び掛け信号の送信のためにアンテナ２４−１を選択するには、アンテナ選択信号（図２の制御信号Ｃ−１に対応し、図示しない制御理論により与えられる）が光アイソレータ８０を起動して、これに起因して濾波されたＲＦ信号がＭＯＳＦＥＴ  Ｑ８およびＱ１０の共通のソース接続へ短絡され、これらＭＯＳＦＥＴが無効になり、短絡接続を排除する。その短絡接続は、これらＭＯＳＦＥＴが有効なときに、アンテナ２４−１を送信器への有効な接続から離す。アンテナ２４−２への接続を制御するＭＯＳＦＥＴ  Ｑ１１およびＱ１２については、抵抗Ｒ５、ダイオードＣＲ５、ツェナーＣＲ１４およびコンデンサＣ７からなる同様なＲＦ信号濾波回路網が設けられている。アンテナ２４−１のスイッチング制御の上述した操作と同様な方式で、ＭＯＳＦＥＴ  １１および１２が、光アイソレータ８２へ適用される制御信号Ｃ２の適用により選択的に無効にされる。
ＭＯＳＦＥＴ  Ｑ７およびＱ９のゲート端子へ選択的に供給される信号も、抵抗Ｒ７およびＲ８、ダイオードＣＲ７およびＣＲ８、ツェナーＣＲ９およびコンデンサＣ８を通じて濾波されたＲＦ信号から導かれることが明らかである。光アイソレータ８４および８６の組み合わせは、他のＭＯＳＦＥＴ対の一つが無効になったときのみに導通するＭＯＳＦＥＴ  Ｑ７およびＱ９のために与えられている。
アンテナへ供給されるＲＦ信号からゲートバイアス信号を導くことにより、アンテナとそれに関連するスイッチの完全な分離が達成されるので、部品数が削減され、アンテナとそれに関連するスイッチを送信回路電源へ関係させる必要性が排除される。
図８においては二つのアンテナのみについてのスイッチング配置を示したが、図６の実施例の四つのアンテナを同様な方式に組み込めることも認められる。
ここまで説明した各実施例においては、逓降変圧器３４は多重化回路３２の送信側において設けられている。しかしながら、この逓降変圧器を適切なインピーダンス整合回路網に置き換えることも考えられる。
上述の装置における様々な他の変形例および上述した実践における変更例が本発明から逸脱することなく導入し得る。従って特定の好適な方法および装置は、例示を意図したものであり、それに限定されるものではない。本発明の要旨と目的とは、添付の請求の範囲に記載されている。
【図１】
0003881030.tif 000002
【図２】
0003881030.tif 000003
【図３】
0003881030.tif 000004
【図４】
0003881030.tif 000005
【図６】
0003881030.tif 000006
【図５】
0003881030.tif 000007
【図７】
0003881030.tif 000008
【図６Ａ】
0003881030.tif 000009
【図８Ａ】
0003881030.tif 000010
【図８Ｂ】
0003881030.tif 000011